(57)【要約】  【課題】設備コストの低減を図り得る音楽信号変換装置、及び、これを用いた音楽制御システムを提供する。  【解決手段】  音楽信号Ｓ１が入力され、入力された音楽信号Ｓ１を周波数変換して、周波数レベル信号Ｓ２１〜２３を生成し、周波数レベル信号Ｓ２１〜２３は、音楽信号Ｓ１に含まれる複数の周波数帯域毎に区分して生成され、周波数帯域毎に音楽信号Ｓ１の強さに対応したレベルを有しており、独立する出力端子２１〜２３のそれぞれから、複数の周波数帯域毎に、個別的に、周波数レベル信号Ｓ２１〜２３を出力する。【選択図】      図１
2006030578.tif 000002
【特許請求の範囲】
【請求項１】
音楽信号変換装置であって、
音楽信号が入力され、入力された前記音楽信号を周波数変換して、周波数レベル信号を生成し、前記周波数レベル信号は、前記音楽信号に含まれる複数の周波数帯域毎に区分して生成され、前記周波数帯域毎に前記音楽信号の強さに対応したレベルを有しており、
前記周波数レベル信号を、独立する出力端子のそれぞれから、複数の前記周波数帯域毎に、個別的に、出力する、
音楽信号変換装置。
【請求項２】
音楽信号変換装置と、被制御装置とを含む音楽制御システムであって、
前記音楽信号変換装置は、請求項１に記載されたものでなり、
前記被制御装置は、前記出力端子のそれぞれから出力された前記周波数レベル信号によって制御され、前記周波数レベル信号のレベルに対応する動作をする、
音楽制御システム。
【発明の詳細な説明】
【技術分野】
【０００１】
本発明は、音楽信号変換装置、及び、これを用いた音楽制御システムに関する。
【背景技術】
【０００２】
レーザ光線を用いた光学的ディスプレイ、照明設備、噴水設備、又は劇場の座席などにおいて、音楽の音圧レベルに合わせて、光強度、照度、噴水量又は座席振動量などをコントロールし、観客の臨場感を刺激し又は増大させる技術が知られている。
【０００３】
具体的一例として、例えば、噴水設備において、音楽に合わせて水量をコントロールできる音楽制御システムとして、ＭＩＤＩ(Musical Instrument Digital Interface)を用いて、音楽と水量とを同期させる音楽制御システムが知られている。
【０００４】
ＭＩＤＩを用いた音楽制御システムでは、音楽をＭＩＤＩファイルに変換し、ＭＩＤＩファイルをデータベースに記憶しているので、ＭＩＤＩインターフェースを有するＰＬＣ（プログラマブルコントローラ）等を用いて、音楽に同期して、噴水設備のインバータ、ポンプ等を制御することができる。
【０００５】
しかし、ＭＩＤＩを用いた音楽制御システムでは、音楽ＣＤを編集して、ＭＩＤＩファイルを作成するから、複製権、同一性保持権等に対する著作権料の支払いが必要になり、コストが増大するという問題や、音楽ＣＤを編集して、ＭＩＤＩファイルを作成するためには、高度の編集技術が必要となるという問題や、一般に、ＭＩＤＩファイルを作成するためには、かなりの時間がかかり、ＭＩＤＩファイルが作成されるまで、噴水制御ができない（新曲を流せない）という問題が生じる。
【０００６】
別の公知技術として、特許文献１〜３は、ＭＩＤＩファイル等からなるデータベースを用いることなく、音楽に同期して噴水制御を行う技術を開示している。しかしながら、特許文献１〜３に開示された音楽制御システムでは、音楽信号を分析して、噴水動作を決定するための構成が複雑であり、低コスト化が図れないという問題がある。
【０００７】
また、特許文献１〜３には、音楽信号を可視化する技術が具体的に開示されていないので、音楽信号の分析方法によっては、噴水動作が音楽に同期して見えないおそれがある。
【０００８】
レーザ光線を用いた光学的ディスプレイ、照明設備、又は劇場の座席の振動コントロール等においても、同様の問題がある。
【特許文献１】特開平７−１８５４２２号公報
【特許文献２】特開平８−２４３４５２号公報
【特許文献３】特開２００４−１４８２３３号公報
【発明の開示】
【発明が解決しようとする課題】
【０００９】
本発明の課題は、設備コストの低減を図り得る音楽信号変換装置、及び、これを用いた音楽制御システムを提供することである。
【００１０】
本発明のもう１つの課題は、音楽に同期して、機器を制御し得る音楽信号変換装置、及び、これを用いた音楽制御システムを提供することである。
【００１１】
本発明の更にもう１つの課題は、ＭＩＤＩファイルを用いることなく、音楽に同期して、機器を制御し得る音楽信号変換装置、及び、これを用いた音楽制御システムを提供することである。
【課題を解決するための手段】
【００１２】
上述した課題を解決するため、本発明に係る音楽信号変換装置は、音楽信号が入力され、入力された音楽信号を周波数変換して、周波数レベル信号を生成する。周波数レベル信号は、音楽信号に含まれる複数の周波数帯域毎に区分して生成され、周波数帯域毎に音楽信号の強さに対応したレベルを有する。周波数レベル信号を、独立する出力端子のそれぞれから、複数の周波数帯域毎に、個別的に、出力する。
【００１３】
本発明に係る音楽信号変換装置は、被制御装置と組合されて、音楽制御システムを構成する。被制御装置は、出力端子のそれぞれから出力された周波数レベル信号によって制御され、周波数レベル信号のレベルに対応する動作をする。
【００１４】
上述したように、本発明に係る音楽信号変換装置は、入力された音楽信号を周波数変換して、周波数レベル信号を生成し、周波数レベル信号を、独立する出力端子のそれぞれから、複数の周波数帯域毎に個別的に出力する。このため、個別的に出力された周波数レベル信号を用いることにより、音楽に同期して、被制御装置を制御することが可能となる。
【００１５】
また、本発明に係る音楽信号変換装置では、独立する出力端子のそれぞれから、音楽信号に対応した周波数レベル信号を個別的に出力できるから、ＭＩＤＩファイルを作成する必要がない。このため、ＭＩＤＩファイルの作成時に必要となる複製権、同一性保持権等に対する著作権料の支払いの必要がなく、コストの増大を抑えることができる。
【００１６】
更に、本発明に係る音楽信号変換装置では、ＭＩＤＩファイルを用いないから、ＭＩＤＩファイルの作成に要していた高度の編集技術や、時間が不要になり、低コスト、容易、かつ、迅速に、音楽信号に対応した周波数レベル信号を出力し得る。
【００１７】
また、本発明に係る音楽制御システムでは、被制御装置が、周波数レベル信号のレベルに対応する動作をすることにより、音楽信号の強さが視認（可視化）、又は、体感され、音楽が、視覚的、又は、体感的に鑑賞される。被制御機器は、例えば、噴水設備、照明設備、劇場内の座席の背もたれに音楽にあわせて振動を与える振動装置等である。
【発明の効果】
【００１８】
以上述べたように、本発明によれば、次のような効果を得ることができる。
（ａ）設備コストの低減を図り得る音楽信号変換装置、及び、これを用いた音楽制御システムを提供することができる。
（ｂ）音楽に同期して、機器を制御し得る音楽信号変換装置、及び、これを用いた音楽制御システムを提供することができる。
（ｃ）ＭＩＤＩファイルを用いることなく、音楽に同期して、機器を制御し得る音楽信号変換装置、及び、これを用いた音楽制御システムを提供することができる。
【００１９】
本発明の他の特徴及びそれによる作用効果は、添付図面を参照し、実施例によって更に詳しく説明する。
【発明を実施するための最良の形態】
【００２０】
図１は本発明に係る音楽制御システムの一実施例を説明する図、図２、図３は図１の部分拡大図、図４は音楽信号変換装置の動作波形図である。図１に示された音楽制御システムは、本発明に係る音楽信号変換装置１と、被制御装置と、増幅装置６１と、スピーカ６２とを含む。
【００２１】
被制御装置は、例えば、噴水設備、照明設備、劇場内の座席の背もたれに音楽にあわせて振動を与える振動装置等である。本発明に係る音楽制御システムは、新設の音楽制御システムであってもよいし、既存の被制御装置を用いてリニューアルした音楽制御システムであってもよい。
【００２２】
図示の実施例において、被制御装置は、例えば、噴水設備であり、インバータ７１〜７３と、ポンプ７４〜７６と、噴水口Ｐ１〜Ｐ２５とを含む。図３において、噴水口Ｐ１〜Ｐ２５は、それぞれ定められた位置に備えられている。噴水口Ｐ１〜Ｐ２５の個数、形状等は任意である。
【００２３】
再び、図１を参照すると、音楽信号変換装置１は、音楽信号生成装置５０と、音楽信号出力端子５１と、信号生成部１０と、出力端子２１〜２３とを含む。音楽信号生成装置５０は、例えば、パーソナルコンピュータに内蔵されたＣＤドライブであり、音楽信号Ｓ１を出力する機能を有する。
【００２４】
音楽信号Ｓ１は、アナログ信号であってもよいし、デジタル信号であってもよい。音楽信号生成装置５０は、例えば、コンピュータに内蔵されないＣＤプレイヤー、ＭＤプレイヤー、マイク等であってもよい。図示の実施例において、音楽信号生成装置５０は、音楽信号変換装置１の内部に設けられているが、音楽信号変換装置１の外部に設けられていてもよい。
【００２５】
信号生成部１０は、例えば、パーソナルコンピュータとＰＬＣ（プログラマブルロジックコントローラ）とを組合せた装置であり、入力端子１１を含む。信号生成部１０は、例えば、パーソナルコンピュータ、ワークステーション等で構成してもよい。入力端子１１は、音楽信号Ｓ１を入力するための端子である。
【００２６】
信号生成部１０は、入力端子１１に入力された音楽信号Ｓ１を周波数変換して、周波数レベル信号Ｓ２１〜Ｓ２３を生成する機能を有する。図示の実施例では、周波数レベル信号が３つの周波数帯域に区分して生成される場合を例にして説明しているが、周波数帯域の区分数は任意である。複数の周波数帯域は、可聴周波数帯域であることが好ましい。
【００２７】
出力端子２１〜２３は、それぞれが独立して設けられている。出力端子２１〜２３のそれぞれは、個別的に、周波数レベル信号Ｓ２１〜Ｓ２３を出力する機能を有する。
【００２８】
増幅装置６１は、音楽信号出力端子５１を介して供給された音楽信号Ｓ１を増幅し、出力する機能を有する。スピーカ６２は、増幅装置６１が増幅した信号を音として、出力する機能を有する。
【００２９】
次に、図１〜図４を参照して、音楽制御システムの動作説明をする。
【００３０】
まず、音楽信号生成装置５０は、入力端子１１を介して、信号生成部１０に音楽信号Ｓ１を出力する。例えば、音楽信号生成装置５０がＣＤプレイヤーである場合、音楽信号生成装置５０は、記録媒体（ＣＤ）に記録された音楽情報を再生することにより、音楽信号Ｓ１を出力する。また、例えば、音楽信号生成装置５０がマイクである場合、音楽信号生成装置５０は、声楽等のアナログ信号を機械−電気変換し、音楽信号Ｓ１を出力する。
【００３１】
図４（ａ）に示すように、音楽信号Ｓ１は、スピーカ６２から出力される音に対応した信号であり、時間とともに音圧レベルが変化する。
【００３２】
信号生成部１０は、まず、図４（ｂ）に示すように、音楽信号Ｓ１にＦＦＴ(Fast Fourier Transform：高速フーリエ変換）をかけ、周波数変換を行う。ＦＦＴを実行するにあたっては、例えば、データ長を８０ｍｓ以下、サンプリング点数を２０４８点以上とすることが好ましい。また、ＦＦＴに限らず、ウエーブレット変換等を用いて周波数変換を行ってもよい。
【００３３】
例えば、図４（ａ）において、時刻０〜８０、１６０〜２４０、２４０〜３２０［ｍｓ］においては、低周波数帯域（２×１０0〜２×１０1Ｈｚ）の信号が多く含まれている。このため、これらの時刻の音楽信号Ｓ１にＦＦＴを施すと、低周波数帯域のレベルが高くなる。
【００３４】
また、時刻３２０〜４００［ｍｓ］においては、高周波数帯域（２×１０2〜２×１０3Ｈｚ）の信号が多く含まれているから、この時刻の音楽信号Ｓ１にＦＦＴを施すと、高周波数帯域のレベルが高くなる。
【００３５】
同様に、時刻８０〜１６０［ｍｓ］においては、中間周波数帯域（２×１０1〜２×１０2Ｈｚ）の信号が多く含まれているから、この時刻の音楽信号Ｓ１にＦＦＴを施すと、中間周波数帯域のレベルが高くなる。
【００３６】
次に、信号生成部１０は、図４（ｃ）に示すように、ＦＦＴを施して得た信号について、低周波数帯域（２×１０0〜２×１０1Ｈｚ）、中間周波数帯域（２×１０1〜２×１０2Ｈｚ）、高周波数帯域（２×１０2〜２×１０3Ｈｚ）毎にレベルの平均値を算出する。
【００３７】
次に、信号生成部１０は、図４（ｄ）に示すように、出力端子２１〜２３のそれぞれに個別的に割当てられた周波数レベル信号Ｓ２１〜Ｓ２３を生成し、周波数レベル信号Ｓ２１〜Ｓ２３をメモリ３２に記憶する。
【００３８】
周波数レベル信号Ｓ２１〜Ｓ２３は、音楽信号Ｓ１に含まれる低、中、高周波数帯域毎に区分して生成されており、周波数帯域毎に音楽信号Ｓ１の強さに対応したレベルを有している。音楽信号の強さに対応したレベルとは、例えば、周波数帯域毎に、音楽信号Ｓ１の音圧レベルの最大値、最小値等を算出したものであってもよい。
【００３９】
例えば、図４（ｄ）においては、低周波数帯域のレベルの平均値（周波数レベル信号Ｓ２１）が出力端子２１に割当てられ、中間周波数帯域のレベルの平均値（周波数レベル信号Ｓ２２）が出力端子２２に割当てられ、高周波数帯域のレベルの平均値（周波数レベル信号Ｓ２３）が出力端子２３に割当てられる。
【００４０】
再び、図１を参照して説明する。次に、音楽信号生成装置５０は、音楽信号出力端子５１を介して、増幅装置６１、スピーカ６２に音楽信号Ｓ１を供給する。これにより、スピーカ６２からは、音楽信号Ｓ１が音として、出力される。
【００４１】
また、音楽信号生成装置５０は、スピーカ６２から出力される音と同期する所定のタイミングで、メモリ３２に記憶された周波数レベル信号Ｓ２１〜Ｓ２３を出力端子２１〜２３のそれぞれから出力する。具体的には、周波数レベル信号Ｓ２１が出力端子２１から出力され、周波数レベル信号Ｓ２２が出力端子２２から出力され、周波数レベル信号Ｓ２３が出力端子２３から出力される。
【００４２】
出力端子２１〜２３から出力された周波数レベル信号Ｓ２１〜Ｓ２３のそれぞれは、インバータ７１〜７３のそれぞれに供給される。インバータ７１〜７３は、供給された周波数レベル信号Ｓ２１〜Ｓ２３を電圧−周波数変換して、ポンプ７４〜７６のそれぞれに、個別に供給する。
【００４３】
ポンプ７４は、周波数レベル信号Ｓ２１に応じた水量を噴水口Ｐ１から出力し、ポンプ７５は、周波数レベル信号Ｓ２２に応じた水量を噴水口Ｐ２〜Ｐ９から出力し、ポンプ７６は、周波数レベル信号Ｓ２３に応じた水量を噴水口Ｐ１０〜Ｐ２５から出力する。
【００４４】
ポンプ７４〜７６による送水動作の制御は、例えば、図示の実施例のように、周波数レベル信号Ｓ２１〜Ｓ２３の周波数に対応して、ポンプのコンプレッサを制御するものでもよいし、周波数レベル信号Ｓ２１〜Ｓ２３に対応して、噴水口Ｐ１０〜Ｐ２５の孔径等を変化させて、結果的に、ポンプ７４〜７６から噴水口Ｐ１０〜Ｐ２５に与えられる水圧を制御するものでもよい。
【００４５】
これにより、噴水口Ｐ１は、音楽信号Ｓ１の低周波数帯域に対応して噴水量が変化し、噴水口Ｐ２〜Ｐ９は、音楽信号Ｓ１の中間周波数帯域に対応して噴水量が変化し、噴水口Ｐ１０〜Ｐ２５は、音楽信号Ｓ１の高周波数帯域に対応して噴水量が変化することとなり、音楽信号Ｓ１の低音域から高音域までのそれぞれの音圧レベルが可視化される。
【００４６】
上述したように、本発明に係る音楽信号変換装置１は、入力された音楽信号Ｓ１を周波数変換して、周波数レベル信号Ｓ２１〜Ｓ２３を生成し、周波数レベル信号Ｓ２１〜Ｓ２３を、独立する出力端子２１〜２３のそれぞれから、複数の周波数帯域毎に個別的に出力する。このため、個別的に出力された周波数レベル信号Ｓ２１〜Ｓ２３を用いることにより、音楽に同期して、被制御装置を制御することが可能となる。
【００４７】
また、本発明に係る音楽信号変換装置１では、独立する出力端子２１〜２３のそれぞれから、音楽信号Ｓ１に対応した周波数レベル信号Ｓ２１〜Ｓ２３を個別的に出力できるから、ＭＩＤＩファイルを作成する必要がない。このため、ＭＩＤＩファイルの作成時に必要となる複製権、同一性保持権等に対する著作権料の支払いの必要がなく、コストの増大を抑えることができる。
【００４８】
更に、本発明に係る音楽信号変換装置１では、ＭＩＤＩファイルを用いないから、ＭＩＤＩファイルの作成に要していた高度の編集技術や、時間が不要になり、低コスト、容易、かつ、迅速に、音楽信号Ｓ１に対応した周波数レベル信号Ｓ２１〜Ｓ２３を出力し得る。
【００４９】
また、本発明に係る音楽制御システムは、被制御装置が、周波数レベル信号Ｓ２１〜Ｓ２３のレベルに対応する動作をすることにより、音楽信号Ｓ１の強さが視認（可視化）、又は、体感され、音楽が、視覚的、又は、体感的に鑑賞される。
【００５０】
また、図示の音楽制御システムでは、噴水口Ｐ１〜Ｐ２５のそれぞれは、例えば、予め定められた位置に備えられているから、それぞれの噴水口Ｐ１〜Ｐ２５から、周波数帯域に対応した噴水量を出力することにより、極めて容易に、音楽信号Ｓ１の強さが視認（可視化）できる。
【００５１】
これに対して、特許文献１〜３には、周波数帯域のそれぞれに、出力端子（噴水口）を対応させる旨の明示の記載がない。したがって、特許文献１〜３に記載された音楽制御システムでは、周波数帯域全体のレベル等を噴水動作のデータや、基本演出パターン等に対応させていると考えられ、複雑な信号処理、及び、制御が必要になると考えられる。
【００５２】
また、図示の音楽制御システムは、周波数レベル信号Ｓ２１〜Ｓ２３が、予め、メモリ３２に記憶されているから、記憶された周波数レベル信号Ｓ２１〜Ｓ２３をメモリ３２から読み出すことにより、噴水口Ｐ１〜Ｐ２５の噴水量を制御することができる。このため、周波数レベル信号Ｓ２１〜Ｓ２３を生成する処理を高速で行う必要がなく、設備コストの低減を図り得る。
【００５３】
また、図示の音楽制御システムは、スピーカ６２から音楽信号Ｓ１１を出力する際に、そのタイミングを信号生成部１０に供給することにより、スピーカ６２から出力される音と、噴水口Ｐ１〜Ｐ２５の噴水量とを、容易に、同期させることができる。
【００５４】
また、図示の音楽制御システムでは、別々の楽曲に対応する複数の音楽信号Ｓ１のそれぞれについて、予め、周波数レベル信号Ｓ２１〜Ｓ２３をメモリ３２に記憶しておき、複数の音楽信号Ｓ１のうちの任意の一の音楽信号Ｓ１をスピーカ６２から出力する際に、当該一の音楽信号Ｓ１に対応する周波数レベル信号Ｓ２１〜Ｓ２３をメモリ３２から読み出し、噴水口Ｐ１〜Ｐ２５の噴水量を制御することができる。
【００５５】
また、本発明にかかる音楽制御システムでは、周波数レベル信号Ｓ２１〜Ｓ２３をメモリに記憶することなく、音楽信号Ｓ１をスピーカ６２から出力する際に、高速で周波数レベル信号Ｓ２１〜Ｓ２３を生成して、噴水口Ｐ１〜Ｐ２５の噴水量を制御してもよい。このとき、スピーカ６２から出力される音と、噴水口Ｐ１〜Ｐ２５の噴水量との同期は、人間が同期していると感じることができる程度に同期していればよい。例えば、ＦＦＴのデータ長やサンプリング数を増減させる、信号生成部の処理速度を上げる等により、同期を向上させることもできる。
【００５６】
図５は本発明に係る音楽制御システムの別の一実施例を説明する図である。図において、図１〜図４に現れた構成部分と同一の部分については、同一の参照符号を付し、重複説明を省略する。
【００５７】
図示の音楽制御システムにおいて、音楽信号変換装置１は、スイッチパネル３４を含む。スイッチパネル３４は、スイッチ３４１〜３４５を含む。スイッチパネル３４は、例えば、子供がスイッチ３４１〜３４５の何れかを押したとき、スイッチ３４１〜３４５のそれぞれに対応するスイッチパネル信号Ｓ３を信号生成部１０に供給する。
【００５８】
信号生成部１０は、スイッチパネル信号Ｓ３が供給された場合、周波数レベル信号Ｓ２１〜Ｓ２３を出力していないことを条件に、スイッチパネル信号Ｓ３に対応する噴水制御信号（図示せず）を出力端子２１〜２３から出力する。これにより、噴水口Ｐ１〜Ｐ２５は、スイッチパネル信号Ｓ３に対応する噴水制御を実現できる。
【００５９】
また、図示の音楽制御システムにおいて、メモリ３２は、タイマー制御情報を記憶している。タイマー制御情報は、周波数レベル信号Ｓ２１〜Ｓ２３に優先して、所定の時刻に、予め定められた噴水制御信号（図示せず）を出力端子２１〜２３から出力するための情報である。これにより、噴水口Ｐ１〜Ｐ２５は、所定の時刻に、タイマー制御情報で定められた噴水制御を実現することができる。
【００６０】
図示の音楽制御システムは、図１〜図４に示した音楽制御システムと同様の構成要素を有するので、同様の作用効果を奏することができる。
【００６１】
図６は本発明に係る音楽制御システムの更に別の一実施例を説明する図である。図において、図１〜図５に現れた構成部分と同一の部分については、同一の参照符号を付し、重複説明を省略する。
【００６２】
図示の音楽制御システムは、例えば、照明設備を用いた音楽制御システムである。図示の実施例において、被制御装置は、照明設備であり、サーボ機構７７〜７９と、照明装置８１〜８３とを含む。照明装置８１〜８３は、例えば、ネオンサイン、照明用ランプ等である。
【００６３】
このような構成を有する音楽制御システムにおいて、信号生成部１０は、サーボ機構７７〜７９のそれぞれに、周波数レベル信号Ｓ２１〜Ｓ２３を供給する。サーボ機構７７〜７９のそれぞれは、供給された周波数レベル信号Ｓ２１〜Ｓ２３を数値変換して、照明装置８１〜８３のそれぞれの光量を調節する。
【００６４】
このように、図示の音楽制御システムでは、周波数レベル信号Ｓ２１〜Ｓ２３に対応して、照明装置８１〜８３のそれぞれの光量が変化するので、音楽信号の強さが視認（可視化）され、音楽が視覚的に鑑賞されることとなる。
【００６５】
図示の音楽制御システムは、図１〜図５に示した音楽制御システムと同様の構成要素を有するので、同様の作用効果を奏することができる。
【００６６】
図７は本発明に係る音楽制御システムの更に別の一実施例を説明する図である。図において、図１〜図６に現れた構成部分と同一の部分については、同一の参照符号を付し、重複説明を省略する。
【００６７】
図示の音楽制御システムにおいて、被制御装置は、噴水設備及び照明設備である。被制御装置は、サーボ機構７７〜７９と、ポンプ（図示せず）と、噴水口Ｐ１〜Ｐ２５と、照明装置８１〜８３とを含む。
【００６８】
図示の音楽制御システムにおいて、信号生成部１０は、サーボ機構７７〜７９のそれぞれに、周波数レベル信号Ｓ２１〜Ｓ２３を供給する。サーボ機構７７〜７９のそれぞれは、供給された周波数レベル信号Ｓ２１〜Ｓ２３を数値変換して、照明装置８１〜８３、及び、噴水口Ｐ１〜Ｐ２５を制御する。
【００６９】
噴水口Ｐ１〜Ｐ２５のそれぞれは、周波数レベル信号Ｓ２１〜Ｓ２３に対応して、噴水口Ｐ１〜Ｐ２５のノズル径（孔径）が変化し、結果的に、ポンプから噴水口Ｐ１〜Ｐ２５に与えられる水圧が変化し、噴水口Ｐ１〜Ｐ２５の噴水量が制御される。照明装置８１〜８３のそれぞれは、周波数レベル信号Ｓ２１〜Ｓ２３に対応して、光量が制御される。
【００７０】
このように、図示の音楽制御システムでは、周波数レベル信号Ｓ２１〜Ｓ２３に対応して、照明装置８１〜８３、及び、噴水口Ｐ１〜Ｐ２５が制御されるので、音楽信号の強さが視認（可視化）され、音楽が視覚的に鑑賞されることとなる。
【００７１】
図示の音楽制御システムは、図１〜図６に示した音楽制御システムと同様の構成要素を有するので、同様の作用効果を奏することができる。
【００７２】
以上、実施の形態を参照して説明したが、本発明はこの実施例に限定されるものではなく、特許請求の範囲内において、種々の変形、変更が可能であることは言うまでもない。
【図面の簡単な説明】
【００７３】
【図１】本発明に係る音楽制御システムの一実施例を説明する図である。
【図２】図１の部分拡大図である。
【図３】図１の別の部分拡大図である。
【図４】音楽信号変換装置の動作波形図である。
【図５】本発明に係る音楽制御システムの別の一実施例を説明する図である。
【図６】本発明に係る音楽制御システムの更に別の一実施例を説明する図である。
【図７】本発明に係る音楽制御システムの更に別の一実施例を説明する図である。
【符号の説明】
【００７４】
１                音楽信号変換装置
１０              信号生成部
２１〜２３        出力端子
５０              音楽信号生成装置
６１              増幅装置
６２              スピーカ
７１〜７３        インバータ
７４〜７６        ポンプ
Ｐ１〜Ｐ２５      噴水口
【図１】
2006030578.tif 000003
【図２】
2006030578.tif 000004
【図３】
2006030578.tif 000005
【図４】
2006030578.tif 000006
【図５】
2006030578.tif 000007
【図６】
2006030578.tif 000008
【図７】
2006030578.tif 000009